(57)【要約】【課題】描画された医用画像の複数の医用画像における位置を容易に判断できるようにする。【解決手段】医用画像表示装置は、複数の医用画像を切り替えて順次表示する表示手段と、前記表示手段に現在表示中の医用画像の前記複数の医用画像における位置を示す指標を表示させる制御手段と、を備え、前記制御手段は、前記表示された医用画像に対し描画の操作がなされると（ステップＳ２；Ｙ）、当該医用画像が描画されたことを示す識別情報を記憶手段に記憶させ（ステップＳ３）、当該記憶された識別情報に基づいて前記指標上に前記描画された医用画像の位置を示すマーカを表示させる（ステップＳ４）。【選択図】図６
2010131239.tif 000002
【特許請求の範囲】
【請求項１】
複数の医用画像を切り替えて順次表示する表示手段と、
前記表示手段に現在表示中の医用画像の前記複数の医用画像における位置を示す指標を表示させる制御手段と、を備え、
前記制御手段は、前記表示された医用画像に対し描画の操作がなされると、当該医用画像が描画されたことを示す識別情報を記憶手段に記憶させ、当該記憶された識別情報に基づいて前記指標上に前記描画された医用画像の位置を示すマーカを表示させる医用画像表示装置。
【請求項２】
前記識別情報は前記医用画像の描画の種別を示す識別情報を含み、
前記制御手段は、前記描画の種別を示す識別情報に基づいて、描画の種別毎にマーカを表示させる請求項１に記載の医用画像表示装置。
【請求項３】
前記制御手段は、前記描画の種別を示す識別情報に基づいて、描画の種別毎にマーカの表示形態を異ならせて表示させる請求項２に記載の医用画像表示装置。
【請求項４】
前記識別情報は前記医用画像の描画の種別を示す識別情報を含み、
前記描画の種別はグループ分類され、
前記制御手段は、前記描画の種別を示す識別情報とともに、前記医用画像になされた描画の種別のグループを示す識別情報を前記記憶手段に記憶させ、前記記憶された描画のグループを示す識別情報に基づいて、描画の種別のグループ毎にマーカを表示させる請求項１に記載の医用画像表示装置。
【請求項５】
前記制御手段は、前記記憶された描画のグループを示す識別情報に基づいて、描画のグループ毎にマーカの表示形態を異ならせて表示させる請求項４に記載の医用画像表示装置。
【請求項６】
コンピュータを、
複数の医用画像を切り替えて順次表示する表示手段に、現在表示中の医用画像の前記複数の医用画像における位置を示す指標を表示させ、
前記表示された医用画像に対し描画の操作がなされると、当該医用画像が描画されたことを示す識別情報を記憶手段に記憶させ、当該記憶された識別情報に基づいて前記指標上に前記描画された医用画像の位置を示すマーカを表示させる制御手段として機能させるためのプログラム。
【発明の詳細な説明】
【技術分野】
【０００１】
本発明は、医用画像表示装置及びプログラムに関する。
【背景技術】
【０００２】
医療の分野では、Ｘ線撮影やＣＴ（Computed Tomography）撮影のような検査撮影によって得られた医用画像のデジタル化が進み、ディスプレイに表示された医用画像により医師の読影が行われている。
読影時に、医師は医用画像に対し補助線を引いたり、点をマーキングしたりと描画を行い、組織間の距離や角度を計測することがある。このような医師の作業を補助するため、表示された医用画像において描画や計測が可能な装置も開発されている。
【０００３】
読影後、医師は読影に関するレポートを作成するが、このレポートに医用画像を添付する場合がある。しかし、ＣＴ撮影やＭＲＩ（Magnetic Resonance Imaging）撮影では、１回の検査で得られる撮影枚数が１０００枚単位と、読影する医用画像数が非常に多い。このようなシリーズを構成する医用画像を１画面に１画像の表示形式で順次表示する場合、現在表示中の医用画像がシリーズ全体のどのあたりに位置するのかが把握できない。そこで、スライダーバーを表示して現在表示中の医用画像のシリーズにおける位置を示すことが行われている（例えば、特許文献１参照）。
【０００４】
また、シリーズに属する多数の医用画像の中から医師がレポートに添付しようと思っていた医用画像を見つけだすのは非常に煩雑な作業である。そこで、医師の登録操作によって、読影後のレポート作成時に参照したい医用画像をブックマーク登録できる方法も開示されている（例えば、特許文献２参照）。
【特許文献１】特開２００４−１６７０４２号公報
【特許文献２】特開２００４−１６７０４２号公報
【発明の開示】
【発明が解決しようとする課題】
【０００５】
医師はレポートの作成にあたり、描画された医用画像を再度参照し、描画による計測値をレポートに入力することがある。しかしながら、読影の対象がシリーズの医用画像であった場合、多数の医用画像の中から描画された医用画像を探し出すのは容易ではない。求めている医用画像がシリーズのどの位置に該当するかが分かれば、スライダーバーを使ってその位置にある医用画像を表示することができるが、どの位置の医用画像に描画したのか不明である場合が多い。
【０００６】
上記特許文献１に記載のように、ブックマーク登録の操作を行うことにより、求める医用画像を識別できるようにすることは可能である。しかし、レポートに添付する医用画像は１，２枚程度と少ないのに対し、描画や計測の操作はもっと多くの医用画像に対して行われる。医師が描画する度に逐一ブックマーク登録の操作を行うのは煩雑であり、医師の負担となる。
【０００７】
本発明の課題は、描画された医用画像の複数の医用画像における位置を容易に判断できるようにすることである。
【課題を解決するための手段】
【０００８】
請求項１に記載の発明によれば、
複数の医用画像を切り替えて順次表示する表示手段と、
前記表示手段に現在表示中の医用画像の前記複数の医用画像における位置を示す指標を表示させる制御手段と、を備え、
前記制御手段は、前記表示された医用画像に対し描画の操作がなされると、当該医用画像が描画されたことを示す識別情報を記憶手段に記憶させ、当該記憶された識別情報に基づいて前記指標上に前記描画された医用画像の位置を示すマーカを表示させる医用画像表示装置が提供される。
【０００９】
請求項２に記載の発明によれば、
前記識別情報は前記医用画像の描画の種別を示す識別情報を含み、
前記制御手段は、前記描画の種別を示す識別情報に基づいて、描画の種別毎にマーカを表示させる請求項１に記載の医用画像表示装置が提供される。
【００１０】
請求項３に記載の発明によれば、
前記制御手段は、前記描画の種別を示す識別情報に基づいて、描画の種別毎にマーカの表示形態を異ならせて表示させる請求項２に記載の医用画像表示装置が提供される。
【００１１】
請求項４に記載の発明によれば、
前記識別情報は前記医用画像の描画の種別を示す識別情報を含み、
前記描画の種別はグループ分類され、
前記制御手段は、前記描画の種別を示す識別情報とともに、前記医用画像になされた描画の種別のグループを示す識別情報を前記記憶手段に記憶させ、前記記憶された描画のグループを示す識別情報に基づいて、描画の種別のグループ毎にマーカを表示させる請求項１に記載の医用画像表示装置が提供される。
【００１２】
請求項５に記載の発明によれば、
前記制御手段は、前記記憶された描画のグループを示す識別情報に基づいて、描画のグループ毎にマーカの表示形態を異ならせて表示させる請求項４に記載の医用画像表示装置が提供される。
【００１３】
請求項６に記載の発明によれば、
コンピュータを、
複数の医用画像を切り替えて順次表示する表示手段に、現在表示中の医用画像の前記複数の医用画像における位置を示す指標を表示させ、
前記表示された医用画像に対し描画の操作がなされると、当該医用画像が描画されたことを示す識別情報を記憶手段に記憶させ、当該記憶された識別情報に基づいて前記指標上に前記描画された医用画像の位置を示すマーカを表示させる制御手段として機能させるためのプログラムが提供される。
【発明の効果】
【００１４】
本発明によれば、指標に表示されたマーカにより、描画された医用画像が、表示される複数の医用画像のうちのどこに位置するのかを容易に判断することができる。描画された医用画像の位置を元に、複数の医用画像の中から描画された医用画像を検索することが容易となる。
【発明を実施するための最良の形態】
【００１５】
以下、図面を参照して本発明の実施の形態について説明する。
【００１６】
図１は医用画像システム１の構成を示す図である。図１に示すように、医用画像システム１は、サーバ１０と、本実施の形態に係る医用画像表示装置２０とを含む。サーバ１０と医用画像表示装置２０とはネットワークＮを介して通信が可能である。その通信方式としては、医用画像の通信方式として一般的に用いられるＤＩＣＯＭ（Digital Imaging and Communication in Medicine）が挙げられる。
【００１７】
サーバ１０は、医用画像や電子カルテ、レポートを保存し、管理する。サーバ１０は医用画像表示装置２０からの要求に応じて、医用画像や電子カルテ、レポートを医用画像表示装置２０に送信し、提供する。
【００１８】
医用画像表示装置２０は、サーバ１０から医用画像を取得して表示する。また、医用画像表示装置２０は、医師の操作に応じて電子カルテやレポートを作成し、サーバ１０に送信する。
【００１９】
図２は医用画像表示装置２０の機能的構成を示している。
図２に示すように、医用画像表示装置２０は、制御部２１、記憶部２２、表示部２３、操作部２４、通信部２５、Ｉ／Ｆ部２６、ＣＤ／ＤＶＤドライブ２７を備えている。
【００２０】
制御部２１は、ＣＰＵ（Central Processing Unit）、ＲＡＭ（Random Access Memory）等を備える制御手段である。制御部２１は、記憶部２２に記憶されたプログラムとの協働により、各種演算を行い、各部の動作を制御し、処理を実行する。
例えば、制御部２１はビューア画面において１シリーズ分の複数の医用画像を切り替えて順次表示させる。また、制御部２１はビューア画面に現在表示中の医用画像のシリーズ全体における位置を示す指標としてスライダーバーを表示させる。制御部２１は表示部２３に表示された医用画像に対し描画の操作がなされると、当該操作に応じて医用画像上に描画するとともに、当該医用画像が描画されたことを示す識別情報を記憶部２２に記憶する。また、制御部２１は当該識別情報に基づいてスライダーバー上に、描画された医用画像の位置を示すマーカを表示させる。
【００２１】
記憶部２２は、例えばハードディスクから構成され、各種プログラムの他、処理の実行に必要なパラメータやファイルを記憶している。
記憶部２２は、表示する医用画像や作成された電子カルテ、レポートのファイルを記憶している。
【００２２】
また、記憶部２２は描画テーブルを記憶する記憶手段である。描画テーブルは、医用画像が描画されたことを示す識別情報が設定されたテーブルである。
図３は描画テーブルの一例を示している。図３に示す描画テーブルＴ１には、描画された医用画像について、医用画像のシリーズ管理番号、画像管理番号、当該描画の種別を示すフラグ、種別が属するグループを示すフラグがそれぞれ対応付けて記憶されている。
【００２３】
ＭＲＩ撮影やＣＴ撮影のように、１単位の検査撮影で複数の医用画像が得られる場合、当該複数の医用画像は同じシリーズの医用画像として扱われ、同一のシリーズ番号が付与されて管理される。例えば、胸部から腹部にかけての複数の断層画像を得るＣＴ撮影の場合、これら複数の断層画像は全て同じシリーズ番号が付与される。しかしながら、１つの検査に複数の検査撮影が含まれる場合、例えばある検査Ａとある検査Ｂにそれぞれ同じシリーズ番号１のシリーズが存在し、シリーズ番号自体は固有の番号ではない。そこで、各シリーズを一意に管理するため、シリーズそれぞれに固有のシリーズ管理番号が付与される。つまり、医用画像のシリーズ管理番号は、同じシリーズ管理番号の医用画像であれば同じ検査撮影で得られたことを示す。
【００２４】
シリーズ番号とは別に、シリーズ内の個々の医用画像を識別するために付与されるのが画像番号である。画像番号は１シリーズの複数の医用画像について撮影により生成された順に付与される。例えば、胸部から腹部にかけての断層画像のＣＴ撮影であれば、先に生成された胸部側の断層画像を先頭、後に生成された腹部側の断層画像を後尾として１、２、３…の順に画像番号が付与される。しかしながら、画像番号は別シリーズにも同じ番号が存在する場合があり、複数のシリーズを保有するシステムにおいては、固有の番号とはならない。よって、各医用画像を一意に管理するために、医用画像それぞれに対して固有の画像管理番号が付与される。
【００２５】
描画の種別のフラグは、医用画像が描画されたことを示すとともに、どのような描画がなされたのかを示す識別情報である。医用画像表示装置２０では複数種類の描画が可能であり、図４に示すように、点や線、矩形、楕円、矢印のような様々な種類の図形の描画が可能である。また、図形の描画に伴って制御部２１により計測された距離、角度のような計測値を描画することも可能である。よって、描画の種類毎にその種別を示すフラグが割り当てられている。例えば、点の描画であれば「１」のフラグ、直線の描画であれば「２」のフラグ、楕円の描画であれば「３」のフラグが割り当てられる。また、直線の距離は「１１」のフラグ、２つの直線の交点における角度（３点角度と呼ばれる）の描画であれば「１２」のフラグ、２つの直線の延長線上の交点の角度（コブ角度と呼ばれる）であれば「１３」のフラグが割り当てられる。
【００２６】
描画の種別はグループ分類されている。描画の種別のグループのフラグは、医用画像になされた描画がどのグループに分類されているのかを示す識別情報である。グループは、例えば図４に示すように図形を描画する図形系のグループと、計測値を描画する計測系のグループとに分類されてもよい。また、放射線医学系、核医学系、整形医学系のように医学の分野毎にグループが分類されてもよいし、内科、外科、整形外科、放射線科のような診療科毎に分類されてもよい。なお、全ての描画の種別についてグループ分類する必要はなく、どのようなグループに分類するかはユーザが設定可能である。
【００２７】
例えば、医学分野毎にグループ分類する場合、放射線医学系のグループとして、直線、矩形、楕円、多角形の描画、これらの図形内で算出された最大画素値、最小画素値、平均画素値、標準偏差等の計測値の描画を分類することができ、これらの描画の種別に対してグループのフラグ「１」が割り当てられる。また、核医学系のグループとして、矩形、楕円、多角形の描画、これらの図形内で算出されたＳＵＶ（Standardized Uptake Value；標準化した半定量的指数）の最大値、平均値、標準偏差等の計測値の描画を分類することができ、これら描画の種別に対してグループのフラグ「２」が割り当てられる。整形医学系のグループとして、シャープ角、大腿頸骨角、ベーラー角等の計測値の描画を分類することができ、これら描画の種別に対してグループのフラグ「３」が割り当てられる。
【００２８】
また、記憶部２２はキー画像テーブルを記憶している。キー画像テーブルは、医用画像がキー画像として指定されたことを示す情報が設定されたテーブルである。キー画像とは、医師が注目する医用画像として医師により指定された医用画像をいう。例えば、医師がレポートに添付しようと思っている医用画像や、後で参照しなおそうと思っている医用画像が挙げられる。
【００２９】
図５はキー画像テーブルの一例を示している。図５に示すキー画像テーブルＴ２には、キー画像として指定された医用画像について、当該医用画像のシリーズ管理番号、画像管理番号、指定を行ったユーザ（医師）に付与されているユーザＩＤが対応付けて記憶されている。
【００３０】
表示部２３はディスプレイを備えた表示手段である。表示部２３は制御部２１の表示制御に従って、読影用に医用画像を表示するビューア画面やレポート入力用のレポート画面のような各種表示画面を表示する。
操作部２４はマウスやキーボードを備え、これらの操作に応じた操作信号を生成して制御部２１に出力する。なお、操作部２４は表示部２３のディスプレイと一体となったタッチパネルであってもよい。
【００３１】
通信部２５は通信用のインターフェイスを備え、制御部２１の通信制御に従ってサーバ１０のような外部機器との通信を行う。例えば、通信部２５はサーバ１０に医用画像の要求情報を送信し、サーバ１０から医用画像を受信する。
【００３２】
Ｉ／Ｆ部２６はＣＤ／ＤＶＤドライブ２７に接続され、ＣＤ／ＤＶＤドライブ２７とデータをやりとりする。
ＣＤ／ＤＶＤドライブ２７はメディアＭに対し、データの読み書きを行う。メディアＭはＣＤやＤＶＤである。例えば、ＣＤ／ＤＶＤドライブ２７はメディアＭに記録された過去の医用画像やレポートを読み出し、今回の診察で新たに得られた医用画像やレポートを書き込む。このようなデータの規格としては、ＰＤＩ（Portable Data for Imaging）が挙げられる。
【００３３】
次に、上記医用画像表示装置２０により実行される処理について説明する。
医師は、医用画像を読影するにあたり、上記医用画像表示装置２０を操作し、ビューア画面により医用画像を表示させることができる。
図６は、医師が医用画像を読影する際に、医用画像表示装置２０により実行される処理の流れを示している。処理の実行に先立って、ＣＴ撮影により得られた１シリーズ分の医用画像読影対象としてサーバ１０から取得され、記憶部２２に記憶されていることとする。
【００３４】
図６に示すように、医用画像表示装置２０では制御部２１が表示部２３にビューア画面を表示させ、このビューア画面において１シリーズ分の医用画像のスタック表示を行う（ステップＳ１）。スタック表示とは、１フレームに１枚の医用画像を表示し、フレーム内に表示する医用画像を切り替えながら複数の医用画像を順次表示していく表示形態をいう。医師はスタック表示により１シリーズ分の医用画像を１枚ずつ読影することができる。
【００３５】
図７は、医用画像がスタック表示されたビューア画面例を示している。
図７に示すように、スタック表示により画面全体に１つのフレームが表示され、このフレームに１枚の医用画像が表示されている。医用画像上には、当該医用画像のシリーズ管理番号及び画像管理番号の情報ｄ１が表示されている。また、医用画像上にはスライダーバーｄ２が表示されている。スライダーバーｄ２は現在表示中の医用画像の１シリーズ分の複数の医用画像における位置を示す指標であり、その長さは１シリーズ分の全医用画像の数を表している。スライダーバーｄ２上に表示された「１５／１０７」の「１５」は現在ビューア画面に表示中の医用画像の順番を示し、「１０７」は１シリーズ分の全医用画像の枚数を示している。
【００３６】
スライダーバーｄ２上のボタンｄ２１は、シリーズ内における現在表示中の医用画像の位置を表している。ボタンｄ２１は、スライダーバーｄ２の上端をシリーズの先頭に当たる画像管理番号１０１、下端を最後尾の画像管理番号２０７として１シリーズ分の医用画像を画像管理番号順に並べたときに、現在表示中の医用画像の画像管理番号１１５に該当する位置に配置される。ボタンｄ２１の位置がスクロール操作により移動されると、ビューア画面に現在表示中の医用画像はボタンｄ２１が移動された位置に該当する画像管理番号の医用画像に切り替えて表示される。
【００３７】
ビューア画面において現在表示中の医用画像に対し、医師は描画の操作を行うことができる。医師は、スタック表示により１シリーズ分の医用画像を順次読影し、描画や計測が必要な医用画像については、上記のような描画の操作を行う。描画の操作には、図７に示すビューア画面に設けられる描画ツールｄ３１が用いられる。描画ツールｄ３１には描画の種別が選択的に表示されるので、医師は所望する描画の種別の選択操作を行う。例えば、直線の描画が選択されたのであれば、医師はさらにマウス操作により医用画像上で始点と終点の選択操作を行う。制御部２１はこのような描画操作に応じて始点と終点を結ぶ直線を医用画像上に表示させる。描画ツールｄ３１により直線距離の計測値の描画が選択されたのであれば、制御部２１は直線を描画した上で当該直線の距離を算出し、当該算出された距離の計測値を医用画像上の直線付近に描画する。
【００３８】
また、ビューア画面において現在表示中の医用画像を、医師はキー画像として指定することができる。図７に示すようにビューア画面にはキー画像として指定するためのキー画像ボタンｄ４が設けられているので、現在表示中の医用画像をレポート作成時に添付しようとする場合、医師はキー画像ボタンｄ４を操作すればよい。
【００３９】
このようなビューア画面において、制御部２１は現在表示中の医用画像について描画の操作がなされたか否かを判別する（ステップＳ２）。描画の操作がなされた場合（ステップＳ２；Ｙ）、制御部２１は上述のように描画の操作に応じて医用画像上に描画を行うとともに、当該医用画像になされた描画の種別及びグループのフラグを設定する。例えば、直線が描画された場合は直線の種別を示すフラグ「２」が設定され、直線の種別が属するグループのフラグ「１」が設定される。制御部２１は、描画された医用画像のシリーズ管理番号、画像管理番号、設定された描画の種別、グループのフラグを描画テーブルＴ１に書き込み、記憶する（ステップＳ３）。
【００４０】
次いで、制御部２１はビューア画面のスライダーバーｄ２に、描画された医用画像の位置を示す矢印のマーカを表示させる。当該マーカは、医用画像になされた描画の種別毎に表示してもよいし、描画の種別のグループ毎に表示してもよい。マーカは前記設定された描画の種別及び／又はグループのフラグに応じて、描画の種別及び／又はグループによって異なる表示形態で表示される（ステップＳ４）。
【００４１】
図８は描画の種別のグループ毎にマーカを表示するスライダーバーｄ２の例を示している。
スライダーバーｄ２の左側に整形系のグループの描画された医用画像の位置を示す矢印のマーカ、右側に核医学系のグループの描画された医用画像の位置を示す矢印のマーカがそれぞれ表示されている。整形系のグループのマーカと核医学系のグループのマーカはマーカの色が異なっている。
【００４２】
また、図９に示すように種別毎のマーカとグループのマーカとを組み合わせて表示してもよい。図９に示すスライダーバーｄ２の例では、スライダーバーｄ２の左側に描画の種別毎のマーカが表示され、右側に放射線学系のグループのマーカが表示されている。スライダーバーｄ２の左側に表示される描画の種別毎のマーカは、種別によって異なる模様が付されている。
【００４３】
一方、描画の操作はなされないが（ステップＳ２；Ｎ）、キー画像ボタンｄ４の操作によりキー画像としての指定操作がなされた場合（ステップＳ５；Ｙ）、制御部２１は現在表示中の医用画像がキー画像として指定されたことを示す情報として、当該医用画像のシリーズ管理番号及び画像管理番号、指定を行った医師のユーザＩＤをキー画像テーブルＴ２に記憶する（ステップＳ６）。医師のユーザＩＤは、医用画像表示装置２０へのログイン時にユーザ認証のために入力されるので、このログイン時に入力されるユーザＩＤを記憶すればよい。
【００４４】
このとき、制御部２１は、図１０に示すようにビューア画面のスライダーバーｄ２にキー画像として指定された医用画像の位置を示すマーカを表示することとしてもよい。
図１０に示すスライダーバーｄ２の表示例では、スライダーバーｄ２の左側に描画された医用画像の位置を示す矢印のマーカ、右側にキー画像として指定された医用画像の位置を示す矢印のマーカが表示されている。各マーカは互いに異なる色又は模様が付されているので、医師はマーカにより描画された医用画像とキー画像として指定された医用画像のシリーズ全体における位置を容易に把握することができる。
【００４５】
次いで、制御部２１は読影終了の操作がなされたか否かを判断する（ステップＳ７）。読影終了の操作がなされた場合（ステップＳ７；Ｙ）、本処理を終了し、読影終了の捜査がなされていない場合（ステップＳ７；Ｎ）、ステップＳ２の処理に戻る。すなわち、１シリーズ分の医用画像について順次読影される間、医師による描画操作があれば描画の種別及び／又はグループに応じたマーカがスライダーバーｄ２上に表示される。
【００４６】
上述の処理によって表示された医用画像の読影終了後、医師はさらにレポート画面を表示させ、当該レポート画面においてレポートの入力操作を行い、レポートを作成することができる。レポート作成時、必要であれば再度ビューア画面により医用画像を表示させることも可能である。
図１１は、レポート作成時に医用画像を表示する際に、医用画像表示装置２０により実行される処理の流れを示している。
【００４７】
図１１に示すように、医用画像表示装置２０では制御部２１が表示部２３にレポート画面を表示させる（ステップＳ２１）。レポート画面は、レポート入力用の操作画面である。医用画像表示装置２０ではレポート画面の表示と並行してビューア画面の表示が可能である。医師はビューア画面により読影時に観察していたシリーズを指定して当該シリーズの医用画像を表示させ、表示された医用画像を参照しながら、レポート画面においてレポートの入力操作を行うことができる。
【００４８】
ビューア画面の表示が指示されなければ（ステップＳ２２；Ｎ）、本処理を終了する。一方、医師によりビューア画面の表示が指示されると（ステップＳ２２；Ｙ）、制御部２１は図７に示すようなビューア画面を表示部２３に表示させ、当該ビューア画面に１シリーズ分の複数の医用画像をスタック表示させる。また、制御部２１は描画テーブルＴ１又はキー画像テーブルＴ２に基づいて、ビューア画面において図９、図１０、図１１に示すようなマーカが付されたスライダーバーｄ２を表示させる（ステップＳ２３）。具体的には、制御部２１はビューア画面で表示される医用画像のシリーズ管理番号に対応して、描画の種別及び／又はグループのフラグが設定されている医用画像の画像管理番号を描画テーブルＴ１から取得する。制御部２１はスライダーバーｄ２上で取得された画像管理番号に対応する位置にマーカを表示させ、当該マーカの色や模様を、描画テーブルＴ１で設定されている描画の種別やグループに応じて異ならせて表示させる。
【００４９】
医師は、シリーズ内の描画された医用画像を参照したい場合、スライダーバーｄ２に表示されたマーカのうち、描画された医用画像に係るマーカをマウス操作によって選択すればよい。スライダーバーｄ２に表示されたマーカは、上述のように描画の種別毎に、或いは描画の種別のグループ毎に表示されている。よって、医師は参照したい種別又はグループがある場合には、その種別又はグループに係るマーカを選択すればよい。例えば、矩形の図形を描画した医用画像を参照したければ、当該矩形の描画の種別に対応するマーカを選択操作すればよい。
【００５０】
ビューア画面においてスライダーバーｄ２の何れかのマーカが医師により選択操作されると（ステップＳ２４；Ｙ）、制御部２１はビューア画面に現在表示中の医用画像を、医師により選択されたマーカに対応する医用画像に切り替えて表示させる（ステップＳ２５）。マーカの選択が無ければ（ステップＳ２４；Ｎ）、本処理を終了する。
【００５１】
以上のように、本実施の形態によれば、ビューア画面上に１シリーズ分の複数の医用画像を順次スタック表示させ、制御部２１はビューア画面上に現在表示中の医用画像の１シリーズの複数の医用画像における位置を示すスライダーバーｄ２を表示させる。また、制御部２１は現在表示中の医用画像に対し描画の操作がなされると、当該医用画像に描画の種別のフラグを設定して記憶部２２の描画テーブルＴ１に記憶させ、この記憶された描画の種別のフラグに基づいてスライダーバーｄ２上に、描画された医用画像の位置を示すマーカを表示させる。
【００５２】
スライダーバーｄ２に表示されたマーカにより、医師は描画された医用画像のシリーズ内における位置を容易に判断することができる。描画された医用画像の位置に基づいて、多数あるシリーズの医用画像の中から描画された医用画像を容易に検索することが可能となる。また、シリーズ内のどの位置でどのぐらい描画が行われたのかを容易に把握できる。
【００５３】
また、描画の種別のフラグは医用画像に描画の操作がされたタイミングで、制御部２１が設定するので、描画した医用画像を後で呼び出せるように、医師がキー画像として逐一指定する操作は必要なく、医師の作業負担を軽減することができる。描画の回数はキー画像の指定に比べて多いので、このような指定操作を省略する構成は特に有効である。
【００５４】
また、制御部２１は描画の種別のフラグに基づいてマーカを描画の種別毎に表示することができる。これにより、医師が参照したい種別の描画に限定してマーカを表示することができる。描画の種別は多数用意されているので、種別を限定して表示することにより、目的とする医用画像の検索が容易となる。
制御部２１はマーカの表示形態は描画の種別毎に異ならせて表示させるので、医師はマーカの表示形態によって描画の種別を容易に把握することができる。
【００５５】
また、制御部２１は描画の種別のフラグとともに、描画の種別のグループを示すフラグを描画テーブルＴ１に記憶させ、この記憶された描画の種別のグループを示すフラグに基づいて描画のグループ毎にマーカを表示することができる。これにより、医師が参照したいグループの描画に限定してマーカを表示することができる。描画の種別は多数用意されているので、よく使用する種別が分類されたグループに限定して表示することにより、目的とする医用画像の検索が容易となる。
制御部２１はマーカの表示形態を描画の種別のグループ毎に異ならせて表示させるので、医師はマーカの表示形態によって描画の種別のグループを容易に把握することができる。
【００５６】
なお、上記実施の形態は本発明の好適な一例であり、これに限定されるものではない。
例えば、指標の一例としてスライダーバーの例を示したが、ノブとアローからなるスクロールバーを用いてもよい。
【００５７】
また、上記実施形態では図７によってビューア画面全体に１つのフレームを表示し、このフレーム内で１シリーズ分の複数の医用画像をスタック表示する例を示した。しかし、この他にも、１つの画面上に２つのフレームを表示し、一方のフレームにはシリーズＡ、他方のフレームにはシリーズＢを表示し、各シリーズＡ、Ｂの医用画像に対して同期操作する場合もある。このように複数のフレームによって医用画像を表示する場合にも本発明を適用し、シリーズＡ、Ｂのそれぞれにおいてスライダーバーを表示すればよい。
さらに、１シリーズ分の複数の医用画像を表示する場合に限らず、異なるシリーズの医用画像を複数表示する場合もある。この場合も本発明を適用し、表示する医用画像のシリーズ管理番号、画像管理番号から描画の種別のフラグを特定することにより、スライダーバー上にマーカを表示することができる。
【００５８】
また、複数のディスプレイを用いる場合、次のような表示を行ってもよい。
図１２に示すように３つのディスプレイが使用できる場合、各ディスプレイにレポート画面Ａ１、シリーズの医用画像をスタック表示するビューア画面Ａ２、描画された医用画像のみをタイル表示するビューア画面Ａ３を表示する。タイル表示とは、１つのフレームを複数領域に分割し、分割されたそれぞれの領域に医用画像を表示する表示形態をいう。医師はレポート画面Ａ１でレポートの入力操作を行い、描画された医用画像をさらに詳細に参照したい場合、ビューア画面Ａ３のタイル表示された医用画像の中から参照したい医用画像を選択すればよい。制御部２１はビューア画面Ａ２において現在表示中の医用画像を、ビューア画面Ａ３において選択された、描画された医用画像に切り替えて表示する。
【００５９】
このように、スタック表示する医用画像を医師が選択する際の目次としてタイル表示を用いることにより、医師のレポート作成がより効率的となる。タイル表示では描画された医用画像のみの表示となるが、スタック表示では描画された医用画像の前後の医用画像の表示が容易である。複数のディスプレイが利用可能である場合には、個々のディスプレイで目的に応じた表示ができる点で有効である。
【００６０】
また、上記実施形態では医用画像表示装置２０が単独で処理する構成であったが、クライアント・サーバ構成による処理としてもよい。クライアント・サーバ構成では、サーバ１０が描画テーブルＴ１、キー画像テーブルＴ２を管理し、医用画像表示装置２０が描画操作やキー画像の指定操作があると描画テーブルＴ１、キー画像テーブルＴ２に書き込む情報をサーバ１０にアップロードする。そして、医用画像表示装置２０において描画された医用画像を表示する際には、サーバ１０からダウンロードされた描画テーブルＴ１やキー画像テーブルＴ２を用いる。
【００６１】
また、本発明に係るプログラムのコンピュータ読み取り可能な媒体としては、ＲＯＭ、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【図面の簡単な説明】
【００６２】
【図１】医用画像システムの構成を示す図である。
【図２】本実施の形態における医用画像表示装置の機能的構成を示す図である。
【図３】描画テーブルの一例を示す図である。
【図４】描画の種別の例を示す図である。
【図５】キー画像テーブルの一例を示す図である。
【図６】医用画像の読影時に医用画像表示装置により実行される処理を示すフローチャートである。
【図７】図６に示す処理において表示されるビューア画面例である。
【図８】スライダーバーの表示例を示す図である。
【図９】スライダーバーの表示例を示す図である。
【図１０】スライダーバーの表示例を示す図である。
【図１１】レポート作成時に医用画像表示装置により実行される処理を示すフローチャートである。
【図１２】複数のディスプレイを利用した表示例を示す図である。
【符号の説明】
【００６３】
１  医用画像システム
１０  サーバ
２０  医用画像表示装置
２１  制御部
２２  記憶部
Ｔ１  描画テーブル
Ｔ２  キー画像テーブル
２３  表示部
２４  操作部
２５  通信部
２６  Ｉ／Ｆ部
２７  ＣＤ／ＤＶＤドライブ
【図１】
2010131239.tif 000003
【図２】
2010131239.tif 000004
【図３】
2010131239.tif 000005
【図４】
2010131239.tif 000006
【図５】
2010131239.tif 000007
【図６】
2010131239.tif 000008
【図７】
2010131239.tif 000009
【図８】
2010131239.tif 000010
【図９】
2010131239.tif 000011
【図１０】
2010131239.tif 000012
【図１１】
2010131239.tif 000013
【図１２】
2010131239.tif 000014